(57)【要約】      （修正有）【課題】使用者が握り持って組立及び取り外し作業するのが便利で、ジョイント部品の表面に図案を施すことで全体的な美観が向上するリムナットを提供する。【解決手段】リムナットは、本体１、ジョイント部品２及び袋ナット３を含み、本体内部は内ネジ紋１０１を備えた対応空間１０を形成し、本体一側表面には外径が比較的大きい頭部１１を凸設し、別側は外径が小さい尾部１２を設置する。更にジョイント部品の基台２１の一側表面は外向きに外ネジ紋２２１を備えた固定ヘッド２２を凸設し、尾部一側箇所から対応空間内で固定し、外ネジ紋を内ネジ紋で螺合する。基台別側には内側壁面に固定ネジ紋２３１を備えた納置槽２３を凹設し、袋ナットのナットヘッド３１の一側表面は外向きに納置槽内に固定する対応ヘッド３２を凸設し、対応ヘッド表面は固定ネジ紋と螺合する対応ネジ紋３２１を成形し、リムはリムナットによって自動車の車輪軸上に固定する時、本体はリム内側に固定され、ジョイント部品はリム外側に露出する。【選択図】図２
0003207446.tif 000002
【実用新案登録請求の範囲】
【請求項１】
主に本体、ジョイント部品及び袋ナットから構成されたリムナットにおいて、そのうち、
内部は対応空間が穿設され、対応空間内壁面には内ネジ紋が成形され、更に一側の外表面には外径が比較的大きい頭部が凸設され、別側には外径が比較的小さい尾部を設置する本体と、
基台を備え、基台の一側表面外向きに尾部一側箇所の対応空間内で固定する固定ヘッドを凸設し、且つ固定ヘッド表面は内ネジ紋と螺合する外ネジ紋を成形し、更に基台別側には納置槽を凹設し、納置槽の内壁面は固定ネジ紋を成形するジョイント部品と
ナットヘッドを備え、ナットヘッド一側表面は外向きに有納置槽内で固定する対応ヘッドを凸設し、且つ対応ヘッド表面は固定ネジ紋と螺合する対応ネジ紋を成形する袋ナットを含むことを特徴とするリムナット。
【請求項２】
前記本体及びジョイント部品の基台は、六角形で、且つ該本体の頭部は錐状であることを特徴とする請求項１記載のリムナット。
【請求項３】
前記本体の尾部は、内ネジ紋別側箇所に位置して、外径が比較的大きい設置槽を凹設し、また該ジョイント部品の固定ヘッドの基台に隣接する箇所には弾性材で製造され、且つ設置槽底面及び基台一側表面に挟持したワッシャーを嵌合し、更に該袋ナットのナットヘッドの対応ヘッドに隣接する箇所には環状の凹槽を凹設し、更に凹槽内には弾性材で製造し、且つナットヘッド一側表面とジョイント部品の基台別側の表面に挟持したワッシャーを嵌合することを特徴とする請求項１記載のリムナット。
【考案の詳細な説明】
【技術分野】
【０００１】
本考案は、リムナットに関するもので、特にリムを自動車の車輪軸上のリムナットに固定し、その本体と袋ナットの間にリム外部に露出するジョイント部品を設置する。即ち、ジョイント部品を使用者が使用ことに拠って、使用者が組立及び取り外し作業をしやすくなり、且つジョイント部品の表面上には図案を施すことに拠って、全体の美観が更に高まる。
【背景技術】
【０００２】
最近、各国の自動車工業関連産業技術の発展は、益々早くなり、自動車が現代社会における主要な交通ツールとなっている。更に、自動車製造技術の弛まぬ努力と進歩に拠って、自動車に設置されるリムもまた、モデルチェンジと安全運転設計に拠って、新しくなっている。しかしながら、自動車のリムは主に車体の重量を背負うタイヤに固定するため、車両が走行する時、そのリムは力を受けるため、車体に安定して設置されてこそ、車が安全に走行できる。
【０００３】
更に、ボルトとナットは誰もが知っているものの、目立たない部品であり、しかしだからと言って各種製品に決して欠けてはならない部品でもある。その応用範囲は広く、運輸工具、電子通信、機械設備、建築建設業に及び、該ボルトとナットを各種大量に使用して製品の機能が発揮される。通常工業化のレベルが高い国ほどボルトとナットの需要が高い。図７に示すのは公知の使用状態図であるが、図から分かるとおり、通常自動車のリムを車体に安定して固定する時、先ずリムＡの複数のネジ孔Ａ１に車輪軸上の複数のネジ栓Ｂを挿入し、次に複数のナットＣをネジ孔Ａ１箇所に入れて複数のネジ栓Ｂを固定することで、リムＡが車体上に安定して固定される。
【先行技術文献】
【特許文献】
【０００４】
【特許文献１】特開１１−３５１２２５号公報
【特許文献２】特開平６−１０９３５号公報
【考案の概要】
【考案が解決しようとする課題】
【０００５】
解決しようとする問題点は、現在、リムＡを車体上に設置し、且つ複数のナットＣ（ホィールナット）を複数のネジ栓Ｂ上に固定する時、その複数のナットＣの殆どは、リムＡの複数のネジ孔Ａ１内に埋没するか、もしくはとリムＡと同一平面になるため、リムＡ、ナットＣを交換するか、もしくはリムＡ上に設置したタイヤを交換する時、外部工具（例としてスパナ、空気銃等）でナットＣ上に設置するのが不便であり、ナットＣをネジ栓Ｂ上から取り外す時にも、組立で多くの不便を感じ、組立時間が長くなり、且つ仮に外部工具がナットＣが歪みや位置ずれを起こした場合、無理にナットＣを取り外せば、ネジ栓Ｂ表面及びナットＣ内壁面のネジ紋の紋が潰れ、部品が壊れ、走行の安全に危険が発生する点である。
【課題を解決するための手段】
【０００６】
本考案は、本体、ジョイント部品及び袋ナットを含む。そのうち、該本体内部は内ネジ紋を備えた対応空間を形成し、本体一側表面には外径が比較的大きい頭部を凸設し、別側は外径が小さい尾部を設置する。更に該ジョイント部品の基台の一側表面は外向きに外ネジ紋を備えた固定ヘッドを凸設し、尾部一側箇所から対応空間内で固定し、外ネジ紋を内ネジ紋で螺合する。次に基台別側には内側壁面に固定ネジ紋を備えた納置槽を凹設し、該袋ナットのナットヘッドの一側表面は外向きに納置槽内に固定する対応ヘッドを凸設し、且つ対応ヘッド表面は固定ネジ紋と螺合する対応ネジ紋を成形し、リムはリムナットによって自動車の車輪軸上に固定する時、その本体はリム内側に固定され、ジョイント部品はリム外側に露出することを最も主要な特徴とする。
【考案の効果】
【０００７】
本考案のリムナットは、使用者が握り持って組立及び取り外し作業するのが便利で、且つジョイント部品の表面に図案を施すことで全体的な美観が向上するという利点がある。
【図面の簡単な説明】
【０００８】
【図１】本考案の立体外観図である。
【図２】本考案の立体分解図である。
【図３】本考案の別の一角度の立体分解図である。
【図４】本考案の組立前の側面断面図である。
【図５】本考案の組立後の側面断面図である。
【図６】本考案の使用状態図である。
【図７】本考案の使用状態図である。
【考案を実施するための形態】
【０００９】
リムナット（ホィールナット）に関し、特にリムを自動車の車輪軸上のリムナットに固定し、その本体と袋ナットの間にリム外部に露出するジョイント部品を設置するもので、該本体内部に穿設した対応空間の内壁面に内ネジ紋を成形し、本体一側表面には外径が比較的大きい頭部を凸設し、別側には外径が小さい尾部を設置する。
更に、該ジョイント部品に備えた基台一側表面は外向きに尾部一側箇所から対応空間内へ固定する固定ヘッドを凸設し、固定ヘッド表面には内ネジ紋と螺合する外ネジ紋を成形し、次に基台別側に納置槽を凹設し、且つ納置槽の内壁面には固定ネジ紋を成形する。
該袋ナットに備えたナットヘッドの一側表面は外向きに納置槽内の対応ヘッドを凸設固定し、対応ヘッド表面には固定ネジ紋と螺合する対応ネジ紋を成形する。使用者がリムナットでリムを自動車の車輪軸上に固定する時、ジョイント部品表面を掴むことで、ネジ柱に位置を合わせやすく組立ができ、位置ずれや歪み等が起こりにくく、組立完成後、該ジョイント部品はリム外側に露出するので、取り外し作業において、手もしくはその他取り外し組立工具で基台外表面に確実に嵌合もしくは握持し、取り外し方向へ回転してリムナットを確かにネジ柱から取り外し、紋が潰れるのを防止することで、ジョイント部品によって組立もしくは取り外し過程が更にスムーズになり、更に組立もしくは取り外し過程の速度も上がり、組立の便利性を高めることを本考案の主な目的とする。
【００１０】
該ジョイント部品表面上に使用者が図案、模様等をデザインし、全体の外表面の美観、装飾性を高め、更に製品の競争力を高める目的を達成することを本考案の次の目的とする。
【実施例】
【００１１】
図１、２、３、４、５に示すとおり、本考案は本体１、ジョイント部品２及び袋ナット３（ホィールナット）を含む。そのうち、
【００１２】
該本体１は六角形であり、内部には対応空間１０が穿設され、且つ対応空間１０内壁面には内ネジ紋１０１が成形され、更に本体１一側外表面は外径が比較的大きく且つ錐状の頭部１１が凸設される。また本体１別側は外径が比較的小さい尾部１２が設置され、且つ尾部１２の内ネジ紋１０１の別側箇所には外径が比較的大きい設置槽１２１が凹設される。
【００１３】
該ジョイント部品２は、六角形の基台２１を備え、基台２１一側の表面中央箇所は外向きに固定ヘッド２２が凸設され、且つ固定ヘッド２２表面には外ネジ紋２２１を成形し、更に固定ヘッド２２の基台２１に隣接する箇所には弾性質で製造したワッシャー２２２を嵌合し、基台２１別側は納置槽２３を凹設し、且つ、納置槽２３内壁面には固定ネジ紋２３１を成形する。
【００１４】
該袋ナット３は、ナットヘッド３１を備え、ナットヘッド３１一側の表面中央箇所は外向きに対応ヘッド３２を凸設し、且つ対応ヘッド３２表面には対応ネジ紋３２１を成形し、更に対応ヘッド３２のナットヘッド３１に隣接する箇所には環状の凹槽３３を凹設し、凹槽３３内には弾性質で製造したワッシャー３３１を設置する。
【００１５】
上述のジョイント部品２は、金属材質で製造するが、実際の応用時はプラスチック、木材、陶磁もしくはアクリル等材質で製造してもよい。
【００１６】
更に、上述の本体１及びジョイント部品２の基台２１の外表面は六角形がよいが、実際に応用する時には、矩形、五角形もしくはその他多辺形型式の本体１及び基台２１でもよい。
【００１７】
本考案は、組立時、ジョイント部品２の固定ヘッド２２を本体１の尾部１２一側箇所から本体１の対応空間１０内へ挿入し、固定ヘッド２２表面の外ネジ紋２２１は対応空間１０の内壁面の内ネジ紋１０１箇所に螺合し、ジョイント部品２に嵌合したワッシャー２２２は尾部１２の設置槽１２１内に入れ、且つ設置槽１２１底面及びジョイント部品２の基台２１一側表面で挟持すると、本体１とジョイント部品２が螺合して一体になる。
更に、袋ナット３の対応ヘッド３２をジョイント部品２の納置槽２３内に挿入し、対応ヘッド３２表面の対応ネジ紋３２１は納置槽２３の内壁面の固定ネジ紋２３１で螺合し、且つ袋ナット３の凹槽３３内で嵌合したワッシャー３３１が袋ナット３のナットヘッド３１一側表面とジョイント部品２の基台２１別側表面で挟持されると、ジョイント部品２と袋ナット３は安定して結合定位し、本考案の組立が完成する。
【００１８】
図６に示すように、本考案の使用状態図から分かるとおり、本考案を実際に使用する時、先ず、本体１の頭部１１を自動車リム４の穿孔４１箇所に挿入し、次に自動車輪軸のネジ柱５を本体１の対応空間１０開口箇所に挿入し、ジョイント部品２の基台２１外表面上において、外部手工具（例としてスパナ、ソケット）、空気工具（例として空気銃）もしくはその他取り外し組立工具で基台２１を回して本体１を回転させ、対応空間１０内の内ネジ紋１０１をネジ柱５表面のネジ紋５１に螺合し、且つ螺合固定すると、リム４が自動車の車輪軸に安定して結合定位し、ジョイント部品２はリム４外側に露出し、本考案の使用が完成する。
【００１９】
本考案を取り外す時、手、外部手工具、空気工具もしくはその他取り外し組立工具で露出したリム４外部に露出したジョイント部品２の基台２１外表面を反対方向に回転し、本体１を反対方向に回すと、対応空間１０内の内ネジ紋１０１とネジ柱５表面のネジ紋５１が相互に外れ、本考案がネジ柱５上で分離し、リム４を自動車の車輪軸から取り外す。
【００２０】
本考案は、ジョイント部品２によって使用者が組立作業を行う時、大面積を確実に掴み、本考案をネジ柱５上に合わせて組み合わせしやすく、ズレや移動等現象が起こりにくく、且つ取り外し作業において、ジョイント部品２はリム４外側に露出しているので、手もしくはその他取り外し組立工具でジョイント部品２の基台２１外表面に確実に嵌合もしくは挟持し、反対方向に回転する。
本考案によって、ネジ柱５上から確実に取り外し、ネジ紋がつぶれにくくなり、ジョイント部品２によって組立もしくは取り外し過程の流れが更にスムーズになり、組立もしくは取り外し過程の速度が上がり、組立の便利性が更に高まる。
【００２１】
更に、本考案のジョイント部品２は各種材質から製造され、顧客の要求に基づいて、構造強度もしくは握持感を提供する。更にジョイント部品２は比較的大きな表面積を備え、上方に図案、模様を設計してもよく、それによって外側の美観、装飾性を達成し、製品の競争力を更に高める。
【００２２】
本考案は、主にリム４を自動車の車輪軸上に固定するリムナットに対し、その本体１と袋ナット３の間には、リム４外部に露出するジョイント部品２を設置し、使用者はジョイント部品２によって、組立及び取り外し作業を便利に行い、且つ使用者はジョイント部品２表面上に図案、模様等をデザインし、更に全体的な美観向上効果を達成する。前述効果を達成する構造、装置はすべて本考案に含まれ、簡易な修飾及び同効果の変化はすべて本考案の請求項に含まれる。
【００２３】
上述のとおり、本考案は上述のリムナットを使用する時、その効果及び目的を達成する。
【符号の説明】
【００２４】
１          本体
１０        対応空間
１０１      内ネジ紋
１１        頭部
１２        尾部
１２１      設置槽
２          ジョイント部品
２１        基台
２２        固定ヘッド
２２１      外ネジ紋
２２２      ワッシャー
２３        納置槽
２３１      固定ネジ紋
３          袋ナット
３１        ナットヘッド
３２        対応ヘッド
３２１      対応ネジ紋
３３        凹槽
３３１      ワッシャー
４      リム
４１      穿孔
５      ネジ柱
５１      ネジ紋
Ａ      リム
Ａ１      ネジ孔
Ｂ      ネジ栓
Ｃ      ナット
【図１】
0003207446.tif 000003
【図２】
0003207446.tif 000004
【図３】
0003207446.tif 000005
【図４】
0003207446.tif 000006
【図５】
0003207446.tif 000007
【図６】
0003207446.tif 000008
【図７】
0003207446.tif 000009